(57)【要約】【課題】伝動ユニット及び連動ブロックが損傷を受けることがない引き出し用のスライドレールを提供する。【解決手段】インナースライドレール１は、固定ユニット１Ａがあり、最も内側の位置の両側にそれぞれ切り込み１１及び先端部１２がある。アウタースライドレール２は、固定ユニット１Ａに対応する位置にレール収納空間３がある。レール収納空間３にある内側にくぼんだ空間３１には長い突起部分３２がある。長い突起部分３２の後方にはくぼみ部分３３があって、連動ブロック４が収納される。くぼみ部分３３の上方にはスプリング片３４があって、連動ブロック４の前方の軸にはフック５１が引っかかる。フック５１の前方の固定鉤は、内側にくぼんだ空間３１に収納されているスプリングユニット３Ａに固定されている。伝動ユニット５の上方には斜面及びくぼみ槽５３がある。【選択図】図２Ａ
0003127072.tif 000002
【実用新案登録請求の範囲】
【請求項１】
インナースライドレール及びアウタースライドレールからなり、引き出しに取り付けられるスライドレールであって、
インナースライドレールは、固定ユニットがあり、最も内側には両側にそれぞれ切り込み及び先端部が設けられ、
アウタースライドレールは、インナースライドレールの固定ユニットに対応する位置にレール収納空間が取り付けられ、レール収納空間の後方には連結ユニットが設置され、レール収納空間の内側にくぼんだ空間には長い突起部分があり、長い突起部分の後方にはくぼみ部分があり、連動ブロックが収納され、さらにくぼみ部分の上方には揺れるスプリング片があり、連動ブロックの前方には軸があり、伝動ユニットの後方下部にあるフックが引っかかるようになっており、フックの前方にある固定鉤はレール収納空間の内側にくぼんだ空間の中に収納されているスプリングユニットに固定され、伝動ユニットの上方には斜面及びくぼみ槽があり、連結ユニットには十字型のくぼみ槽があり、十字型の縦のくぼみ槽にはさらにへこんだくぼみ槽があり、縦のくぼみ槽内には二つの固定ブロックとスプリングが収納され、十字型のくぼみ槽の横のくぼみ槽の一面は斜面になっており、曲がった長いスプリングが収納され、長いスプリングの上下両端は固定ブロックの側面にあたり、横のくぼみ槽のもう一方の側には貫通穴があり、上部押さえが貫通し、上部押さえの後部先端は長いスプリングの曲がった箇所にあたり、前部先端が連動ブロックの先端にあたることで固定され、
引き出しに取り付けられたとき、レール収納空間に伝動ユニット及び連動ブロックがあり、スライドすることにより、引き出しが押し戻される際に、伝動ユニット及び連動ブロックが損傷を受けることがなく、さらに複数の引き出しのうちの一つが引き出される際に、連結ユニットの固定ブロックによってその他の連結ユニットの固定ブロックが固定されるため、他の引き出しが滑り出ることを防止することを特徴とする引き出し用のスライドレール。
【考案の詳細な説明】
【技術分野】
【０００１】
本考案は、引き出し用のスライドレールに関する。本考案のスライドレールは、内側と外側のスライドレールからなる。複数のスライドレールユニットがそれぞれ引き出しに取り付けられた後、引き出しが元に押し戻される際に、伝動ユニット及び連動ブロックが損傷を受けることを防ぎ、そのうちの一つの引き出しだけが引き出された時に、他の引き出しが滑り出ることを防ぐことを特長とする。
【背景技術】
【０００２】
引き出しを開けた後、自動的に元に戻る構造設計は、図１Ａ、図１Ｂ及び図１Ｃの例に示す通りである。インナースライドレールＡの両側の面に直角にスライド槽Ａ１が設けられていて、ブロックＢがインナースライドレールの中にあるスプリングＣに引っ張られて、引き出しの中のアウタースライドレールＤが外側に引き出されると、アウタースライドレールＤのくぼみＤ１にブロックＢの突起部Ｂ１がはまりこんで押し出され、ブロックＢの横の固定部Ｂ２がスライド槽Ａ１に沿ってスライドして、直角に曲がった部分Ａ１１まで来ると、アウタースライドレールＤにあるくぼみＤ１がブロックＢの突起部Ｂ１から離脱して元の位置に戻る。逆に、引き出しが押し戻される時、アウタースライドレールＤのくぼみＤ１が再びブロックＢの突起部Ｂ１にはまり込んで、スプリングＣの元に戻る作用によって引き戻される（図１Ｂ参照）。
【考案の開示】
【考案が解決しようとする課題】
【０００３】
しかしながら、引き出しが元に戻る時、ブロックＢの横の突起部Ｂ２がまずスライド槽Ａ１の直角に曲がった部分Ａ１１から離脱してから、突起部Ｂ１がアウタースライドレールＤのくぼみＤ１にはまり込む必要がある。この時、アウタースライドレールＤはすでにブロックＢに接触していることがわかる。しかしながら、ブロックＢの横の突起部Ｂ２はスライド槽Ａ１の直角に曲がった部分Ａ１１にひっかかって離脱できておらず、もし無理に押せば、ブロックＢ自体が変形することになる（図１Ｃ参照）。こうなると、変形したブロックＢの突起部Ｂ１は再び元のアウタースライドレールＤのくぼみＤ１にはまり込むことができなくなる。
【０００４】
本考案の目的は、引き出し用のスライドレールのユニット構造を提供することにある。スライドレールユニットは、内側と外側のスライドレールからなる。複数の前記スライドレールユニットがそれぞれ引き出しに取り付けられた後、レール収納空間に伝動ユニット及び連動ブロックがあって、軸点スライドするという設計の下、引き出しが押し戻される際に、伝動ユニット及び連動ブロックが損傷を受けることがないことを特長とする。さらに、引き出し全体のうちの一つが引き出された際に、連結ユニットの固定ブロックによってその他の連結ユニットの固定ブロックが固定されるため、他の引き出しが滑り出ることを防ぐようになっている。
【課題を解決するための手段】
【０００５】
また、本考案の引き出し用のスライドレールのユニット構造は、インナースライドレールに固定ユニットがあり、さらに、最も内側の位置の両側にそれぞれ切り込み及び先端部がある。そして、アウタースライドレールは、インナースライドレールの固定ユニットに対応する位置にレール収納空間がある。レール収納空間にある内側にくぼんだ空間には、長い突起部分がある。長い突起部分の後方にはくぼみ部分があって、連動ブロックを収納する。さらに、くぼみ部分の上方には揺れるスプリング片があって、連動ブロックの前方の軸は伝動ユニットの後方の下にあるフックが引っかかるようになっている。フックの前方の固定鉤は、レール収納空間の内側にくぼんだ空間に収納されているスプリングユニットに固定されている。また、伝動ユニットの上方には斜面及びくぼみ槽がある。
【０００６】
さらに、本考案の引き出し用のスライドレールのユニット構造は、連結ユニットがレール収納空間の後方にあって、連結ユニットには十字型のくぼみ槽があり、十字型のくぼみ槽の縦のくぼみ槽の中にさらにへこんだくぼみ槽があって、それぞれ二組の固定ブロックとスプリングを取り付けるようになっている。そして、十字型のくぼみ槽の横のくぼみ槽の一面は斜面になっていて、曲がった長いスプリングを収納するようになっている。そして、長いスプリングの上下両側は、固定ブロックの側面にあたる。また、横のくぼみ槽のもう一方の側には貫通穴があって、上部押さえが貫通するようになっている。上部押さえの後部先端は長いスプリングの曲がった箇所にあたり、前部先端はレール収納空間にある連動ブロックの先端にあたることで固定される。
【考案の効果】
【０００７】
本考案の引き出し用のスライドレールのユニット構造は、内側と外側のスライドレールからなる。複数のスライドレールユニットがそれぞれ引き出しに取り付けられた後、レール収納空間に伝動ユニット及び連動ブロックがあって、軸点スライドするという設計の下、引き出しが押し戻される際に、伝動ユニット及び連動ブロックが損傷を受けることがない。さらに、引き出し全体のうちの一つが引き出された際に、連結ユニットの固定ブロックによってその他の連結ユニットの固定ブロックが固定されるため、他の引き出しが滑り出ることを防ぐ。
【考案を実施するための最良の形態】
【０００８】
まず、図２Ａと図２Ｂを参照する。本考案の一実施例による引き出し用のスライドレールのユニット構造は、スライドレールユニットがインナースライドレール１とアウタースライドレール２からなる。インナースライドレール１には、固定ユニット１Ａがあって、さらに、最も内側には両側にそれぞれ切り込み１１及び先端部１２がある。アウタースライドレール２には、インナースライドレール１の固定ユニット１Ａに対応する位置にレール収納空間３がある。そして、レール収納空間３後方には連結ユニット６が設置されている。レール収納空間３の内側にくぼんだ空間３１には長い突起部分３２があって、長い突起部分３２の後方にはくぼみ部分３３があり、連動ブロック４が収納される。さらに、くぼみ部分３３の上方には、揺れるスプリング片３４がある。連動ブロック４前方には軸４１があり、伝動ユニット５後方下部にあるフック５１が引っかかるようになっている。フック５１の前方にある固定鉤５２は、レール収納空間３の内側にくぼんだ空間３１の中に収納されているスプリングユニット３Ａに固定されている。また、伝動ユニット５の上方には、斜面５４及びくぼみ槽５３がある。そして、連結ユニット６には十字型のくぼみ槽があって、十字型の縦のくぼみ槽６１にはさらにへこんだくぼみ槽６１１があり、縦のくぼみ槽６１内には二つの固定ブロック７が収納される。へこんだくぼみ槽６１１にはスプリング６Ａが収納され、十字型のくぼみ槽の横のくぼみ槽６２の一面は斜面６２１になっていて、曲がった長いスプリング６Ｂが収納される。そして、長いスプリング６Ｂの上下両端は、固定ブロック７側面にあたる（図７参照）。また、横のくぼみ槽６２のもう一方の側には、貫通穴６２２があって、上部押さえ８が貫通し、上部押さえ８の後部先端は長いスプリング６Ｂの曲がった箇所にあたり、前部先端がレール収納空間３にある連動ブロック４の先端にあたることで固定される（図３Ａ及び図３Ｂ参照）。
【０００９】
スライドレールユニットをそれぞれ引き出しに取り付けた時、アウタースライドレール１の固定ユニット１Ａの突起固定部１Ａ１がレール収納空間３にある伝動ユニット５のくぼみ槽５３内に固定される。そして、伝動ユニット５もまた連動ブロック４と結合することにより、アウタースライドレールが引き出しから引き出された時、伝動ユニット５が連動ブロック４と共にスライドする。この時、連動ブロック４は下のスライド槽４２から長い突起部分３２の位置まで移動する。連動ブロック４が長い突起部分３２の端まで移動した時、その上にある伝動ユニット５は固定鉤５２のスプリングユニット３Ａの弾力作用により下に引き戻されて、伝動ユニット５は連動ブロック４の軸４１を軸中心点とすることで、長い突起部分３２の端に留まる。この時、伝動ユニット５の後部先端は、連動ブロック４の軸４１を軸中心点とするため、はねあがる（図４Ａ参照）。アウタースライドレール１の固定ユニット１Ａの突起固定部１Ａ１は、伝動ユニット５の回転作用により、伝動ユニット５をそれ以上引っ張ることはなく、引き続き外に引き出される。
【００１０】
引き出しが元の位置に戻されると、アウタースライドレール１の固定ユニット１Ａの突起固定部１Ａ１は、まず伝動ユニット５のくぼみ槽５３上方に移動し続け（図４Ｂ参照）、伝動ユニット５は連動ブロック４の軸４１を軸中心点とすることにより、伝動ユニット５を長い突起部分３２から離脱させて、水平状態に戻す。したがって、アウタースライドレール１の固定ユニット１Ａの突起固定部１Ａ１は、再び伝動ユニット５のくぼみ槽５３内に固定される。このようにして、スプリングユニット３Ａが元に戻される作用によって、伝動ユニット５、連動ブロック４及びアウタースライドレール１を自動的に元の位置に戻す。
【００１１】
仮に、震動等が原因で伝動ユニット５と連動ブロック４がスプリングユニット３Ａに先に元の位置に戻された場合は、アウタースライドレール１の固定ユニット１Ａの突起固定部１Ａ１が伝動ユニット５のくぼみ槽５３の斜面５４まで押し戻された時、伝動ユニット５が連動ブロック４の軸４１を軸中心点とすることから、伝動ユニット５の後部先端がはね上がり、同時に、レール収納空間３のくぼみ部分３３のスプリング片３４が上に上がった状態となり（図５参照）、アウタースライドレール１の固定ユニット１Ａの突起固定部１Ａ１が伝動ユニット５のくぼみ槽５３内に固定された後、スプリング片３４が伝動ユニット５を元の状態に戻す（図３Ｂ参照）。このように、伝動ユニット５と連動ブロック４が不正常な状態にあって先に元の位置に戻される時、アウタースライドレール１が再び元の位置に戻る際に、伝動ユニット５及び連動ブロック４を変形させて損傷を発生させることがない。
【００１２】
同時に、スライドレールユニットがそれぞれ数個の引き出しに取り付けられた時、レール収納空間３後方の連結ユニット６の間はそれぞれ連結ロッド６Ｃによって連結される（図６参照）。また、引き出し全体が全て閉じられている時は、連結ユニット６の縦のくぼみ槽６１の中にある両側の固定ブロック７の前部先端は、二つともインナースライドレール１の切り込み１１の中に固定される（図７参照）。そのうちの一つの引き出しが開けられた時、連結ユニット６の上部押さえ８は前部先端が連動ブロック４先端にあたらないため、後部先端の曲がった長いスプリング６Ｂが上部押さえ８をレール収納空間３の方向にスライドし、同時に、インナースライドレール１の先端１２もまた動き、連結ユニット６の縦のくぼみ槽６１内の固定ブロック７もまたスプリング６Ａの弾力作用を受けて外に押し出されて移動する。固定ブロック７がいずれも連結ロッド６Ｃと連結されていることにより、その他の引き出し内のインナースライドレール１の切り込み１１は逆に連結ユニット６内の固定ブロック７に邪魔されて移動しない（図８参照）。このように、引き出し全体のうちの一つだけが引き出された時、その他の引き出しは固定されて滑り出すことがなく、先に引き出された引き出しが元の位置に戻った後、別の引き出しが開けられるようになっている。したがって、引き出しが随意に滑り出すことがない。
【図面の簡単な説明】
【００１３】
【図１Ａ】従来の構造を示す模式図である。
【図１Ｂ】従来の構造を示す模式図である。
【図１Ｃ】従来の構造の異常が発生した時の状態を示す模式図である。
【図２Ａ】本考案の一実施例による引き出し用のスライドレールを示す分解斜視図である。
【図２Ｂ】本考案の一実施例による引き出し用のスライドレールを示す分解斜視図である。
【図３Ａ】本考案の一実施例による引き出し用のスライドレールの組み立てた後の状態を示す模式図である。
【図３Ｂ】本考案の一実施例による引き出し用のスライドレールの組み立てた後の状態を示す模式図である。
【図４Ａ】本考案の一実施例による引き出し用のスライドレールの引き出しを引き出した時の状態を示す模式図である。
【図４Ｂ】本考案の一実施例による引き出し用のスライドレールの引き出しを元に戻した時の状態を示す模式図である。
【図５】本考案の一実施例による引き出し用のスライドレールの引き出しを元に戻した際の異常が発生した時の動作を示す模式図である。
【図６】本考案の一実施例による引き出し用のスライドレールの複数に連結した状態を示す斜視図である。
【図７】本考案の一実施例による引き出し用のスライドレールの動作する前の状態を示す模式図である。
【図８】本考案の一実施例による引き出し用のスライドレールの一つの引き出しの動作時の状態を示す模式図である。
【符号の説明】
【００１４】
１  インナースライドレール、１Ａ  固定ユニット、１Ａ１  突起固定部、２  アウタースライドレール、３  レール収納空間、３Ａ  スプリングユニット、４  連動ブロック、５  伝動ユニット、６  連結ユニット、６Ａ  スプリング、６Ｂ  長いスプリング、６Ｃ  連結ロッド、７  固定ブロック、８  上部押さえ、１１  切り込み、１２  先端部、３１  内側にくぼんだ空間、３２  長い突起部分、３３  くぼみ部分、３４  スプリング片、４１  軸、４２  スライド槽、５１  フック、５２  固定鉤、５３  くぼみ槽、５４  斜面、６１  縦のくぼみ槽、６２  横のくぼみ槽、６１１  へこんだくぼみ槽、６２１  斜面、６２２  貫通穴
【図１Ａ】
0003127072.tif 000003
【図１Ｂ】
0003127072.tif 000004
【図１Ｃ】
0003127072.tif 000005
【図２Ａ】
0003127072.tif 000006
【図２Ｂ】
0003127072.tif 000007
【図３Ａ】
0003127072.tif 000008
【図３Ｂ】
0003127072.tif 000009
【図４Ａ】
0003127072.tif 000010
【図４Ｂ】
0003127072.tif 000011
【図５】
0003127072.tif 000012
【図６】
0003127072.tif 000013
【図７】
0003127072.tif 000014
【図８】
0003127072.tif 000015